(57)【要約】【課題】本発明の目的は、利用者が任意の場所から短時間かつ手軽に衛星画像を入手できる衛星画像配信方法および装置を提供することにある。【解決手段】配信センタ１２は利用者端末１１から衛星画像配信要求を受付けると利用者端末１１に注文識別ＩＤを送信し、複数の出力端末１４のうち任意一つの出力端末１４に注文識別ＩＤが入力されると当該出力端末の判定を行う。当該出力端末１４は注文識別ＩＤが入力されると注文識別ＩＤおよび端末識別ＩＤを含む画像データ伝送要求を配信センタ１２に送信して衛星画像データの配信を受ける。【選択図】図１
2007073055.tif 000002
【特許請求の範囲】
【請求項１】
衛星画像の配信センタに専用高速ネットワークを介して接続された複数の出力端末に前記衛星画像を配信するものであって、利用者端末から衛星画像配信要求を受付けると配信要求に合致する衛星画像データを検索して前記衛星画像データに注文識別ＩＤを付与して関連付けて管理すると共に前記注文識別ＩＤを前記利用者端末に送信し、前記複数の出力端末のうち任意一つの出力端末から前記注文識別ＩＤおよび端末識別ＩＤを含む画像データ伝送要求を入力すると前記端末識別ＩＤの当該出力端末に前記注文識別ＩＤで管理された前記衛星画像データを送信する配信センタと、前記注文識別ＩＤが入力されると前記注文識別ＩＤおよび端末識別ＩＤを含む画像データ伝送要求を前記配信センタに送信して前記注文識別ＩＤで管理された前記衛星画像データを配信されて前記衛星画像データを出力する複数の出力端末とを具備することを特徴とする衛星画像配信装置。
【請求項２】
衛星画像のデータベースを備えた配信センタのサーバに専用高速ネットワークを介して接続された複数の出力端末に前記衛星画像を配信するものであって、利用者端末から画像領域を含む衛星画像配信要求を受付けると前記データベースを検索して配信要求に合致する衛星画像データを作成して前記衛星画像データに注文識別ＩＤを付与して関連付けて管理すると共に前記注文識別ＩＤを前記利用者端末に送信し、前記複数の出力端末のうち任意一つの出力端末から端末識別ＩＤを含む画像データ伝送要求を入力すると前記端末識別ＩＤの当該出力端末に前記注文識別ＩＤで管理された前記衛星画像データを送信するサーバと、前記注文識別ＩＤが入力されると前記注文識別ＩＤおよび端末識別ＩＤを含む画像データ伝送要求を前記サーバに送信して前記注文識別ＩＤで管理された前記衛星画像データを配信され、課金した後に前記衛星画像データを出力する複数の出力端末とを具備することを特徴とする衛星画像配信装置。
【発明の詳細な説明】
【技術分野】
【０００１】
本発明は、商用人工衛星で撮像した衛星画像を利用者が任意の場所において手軽に入手することのできる衛星画像配信方法および装置に関する。
【背景技術】
【０００２】
従来、人工衛星で撮像した衛星画像は専用端末を持っている専門家が利用している。その場合、衛星画像コンテンツ（衛星画像データ）を入手するには、専門家である利用者の自宅あるいは会社等の指定する住所に印刷物または、コンパクトディスク、磁気テープ等にディジタル画像データを書込んだ磁気媒体を送付するサービス形態が主流となっている。
【０００３】
このようなサービス形態では、要求受付、媒体作成、送付に多くの期間を要することになり、それも、予め指定した場所でのみでしか衛星画像コンテンツが入手できないという不便さを持っている。
【０００４】
一方、近年、商用人工衛星で撮像した地上の衛星画像は分解能が著しく向上し、白黒で１ｍ程度、カラーで４ｍ程度になっている。このように衛星画像が高分解能になるのに伴い、一般の人々が衛星画像を利用するという気運が高くなっている。一般の人々は汎用の情報端末で衛星画像コンテンツの配信サービスを受けることになる。
【０００５】
一般の人々が汎用の情報端末で衛星画像コンテンツの配信サービスを受けるには、利用者のコンピュータ（利用者端末）をインターネット等のネットワークを介して配信センタのサーバに接続し、衛星画像コンテンツを利用者端末に直接ダウンロードするようにすることが知られている。このことは、例えば、特開平１０―３０７５３４号公報に記載されている。
【０００６】
なお、音楽データについては利用者端末（ユーザ端末）を音楽配信サーバに接続してダウンロードしたい音楽データを申込み、音楽配信サーバからコンビニエンスストアの店頭に設置された情報端末に要求された音楽データを配信して、情報端末からダウンロードすることが知られている。このことは、例えば、下記の特許文献１に記載されている。
【０００７】
【特許文献１】特開平１１−３１２１７５号公報
【発明の開示】
【発明が解決しようとする課題】
【０００８】
従来技術は、利用者端末をインターネット等のネットワークを介して配信センタのサーバに接続し、衛星画像コンテンツを利用者端末に直接ダウンロードするようにしている。しかし、衛星画像コンテンツ（衛星画像データ）は大容量であり、通常のネットワークインフラストラクチャではダウンロードに多大な時間を要すると共にネットワークへの接続料金が高くなり、その上、利用者が任意の場所において手軽に入手することができないという問題点を有している。
【０００９】
本発明の目的は、利用者が任意の場所から短時間かつ手軽に衛星画像を入手できる衛星画像配信装置を提供することにある。
【課題を解決するための手段】
【００１０】
本発明の特徴とするところは、衛星画像の配信センタにネットワークを介して接続された複数の出力端末に衛星画像を配信するものであって、配信センタは利用者端末から衛星画像配信要求を受付けると利用者端末に注文識別ＩＤを送信し、複数の出力端末のうち任意一つの出力端末に注文識別ＩＤが入力されると当該出力端末の判定を行い、当該出力端末は注文識別ＩＤが入力されると注文識別ＩＤおよび端末識別ＩＤを含む画像データ伝送要求を配信センタに送信して衛星画像データの配信を受け、課金した後に衛星画像データを出力するようにしたことにある。
【００１１】
本発明は、配信センタが複数の出力端末のうち任意一つの出力端末から送信されてくる注文識別ＩＤおよび端末識別ＩＤを含む画像データ伝送要求によって当該出力端末を決定し、複数の出力端末のうちの当該出力端末に衛星画像データを配信している。したがって、利用者は衛星画像配信要求時に指定した任意の場所から短時間かつ手軽に衛星画像を入手できる。
【発明の効果】
【００１２】
本発明は、配信センタが複数の出力端末のうち任意一つの出力端末から送信されてくる注文識別ＩＤおよび端末識別ＩＤを含む画像データ伝送要求によって当該出力端末を決定し、複数の出力端末のうちの当該出力端末に衛星画像データを配信している。したがって、利用者は衛星画像配信要求時に指定した任意の場所から短時間かつ手軽に衛星画像を入手できる。
【発明を実施するための最良の形態】
【００１３】
以下、本発明の実施の形態について図面を参照して説明する。
【実施例】
【００１４】
図１に本発明による一実施の形態である衛星画像配信装置を示す。
【００１５】
図１において、利用者端末１１は汎用の家庭用情報端末、携帯型情報端末、車載型情報端末などで、画像データ配信要求を衛星画像配信センタ（サーバ）１２に送信する。衛星画像データ配信センタ１２には衛星画像を格納した衛星画像データベース１３が設けられている。衛星画像受信センタ１５は図示しない人工衛星に撮像要求を送信し、また、衛星画像を受信する。
【００１６】
配信センタ（サーバ）１２には専用高速ネットワーク網１６を介して複数の衛星画像データコンテンツ出力端末１４が接続されている。図では、Ａ駅に設置した出力端末１４ＡとＢコンビニエンスストアに設置した出力端末１４Ｂを示している。
【００１７】
さて、配信センタ１２は撮像済みの衛星画像を蓄積している衛星画像データベース１３を有し、配信要求から注文識別ＩＤおよび要求受付情報の作成、衛星画像データベース１３から配信要求に合致する衛星画像データの検索、検索結果衛星画像データと注文識別ＩＤおよび要求受付情報との関連付け管理を行う。
【００１８】
また、配信センタ１２は専用高速ネットワーク網１６を介して出力端末１４と接続され、この専用高速ネットワーク網１６を介して、出力端末１４からの画像データ伝送要求受付、伝送先の出力端末１４の識別と決定および衛星画像データ伝送を行う。更に、配信センタ１２は利用者端末１１から衛星画像配信要求によって要求された衛星画像が衛星画像データベース１３に未登録だった場合には、衛星画像受信センタ１５に対する新規画像撮像要求と新規衛星画像の登録を実行する。
【００１９】
利用者端末１１としては、有線または無線通信網によりインターネットなどの広域ネットワーク網に接続可能な汎用の家庭用情報端末、携帯型情報端末、車載型情報端末などが用いられる。
【００２０】
出力端末１４は専用高速ネットワーク網１６を介して配信センタ１２と接続され、衛星画像データのダウンロード、衛星画像プリントアウト用の専用出力端末である。高分解能衛星画像データの出力端末１４は、駅やコンビニエンスストア等の最寄りの公共施設および多店舗型商業施設等のように利用者（ユーザ）が利用するに便利な場所に設置されている。
【００２１】
出力端末１４はユーザ操作により専用高速ネットワーク網１６を介して、配信センタ１２への衛星画像データ伝送要求、衛星画像データ受信、衛星画像データ出力形態判断、課金処理、衛星画像データ出力を行う。
【００２２】
図２は、配信センタ１２の一例を示す機能ブロック図である。
【００２３】
図２において、配信要求入力／受付手段２１は汎用の利用者端末１１が有する図５に示すようなＷｅｂブラウザ２２に表示する配信要求入力手段からの配信要求受付、注文識別ＩＤ作成、配信情報作成と管理を行う。また、配信要求受付確認情報として注文識別ＩＤをユーザのＷｅｂブラウザ２２に出力する。
【００２４】
ＤＢ検索手段２３は衛星画像データベース１３から、配信要求入力／受付手段２１で受付けた配信要求に合致する衛星画像データの検索を行う。撮像要求手段２４はＤＢ検索手段２３による衛星画像データ検索の結果、配信要求に合致する衛星画像データが衛星画像データベース１３に存在しなかった場合に衛星画像受信センタ１５に対して新規撮像要求を発行する。
【００２５】
注文識別ＩＤ−画像データ関連付け管理手段２５は配信要求入力／受付手段２１で作成する注文識別ＩＤ、配信情報と、ＤＢ検索手段２３により検索した配信要求に合致する衛星画像データを関連付けて管理する。
【００２６】
伝送要求受付／検索手段２６は出力端末１４からの衛星画像データ伝送要求に対して、衛星画像データ伝送要求に含まれる注文識別ＩＤと出力端末１４を特定するための端末識別ＩＤの抽出と、配信情報、衛星画像データおよび衛星画像データ出力端末の各情報の検索決定を行う。このように、画像データ伝送情報に含まれる出力端末識別ＩＤを取得する事で、配信センタ１２とアクセスできる複数の高分解能衛星画像データ出力端末１４が日本全国の任意の場所に存在しても、要求された衛星画像データを伝送することができる。
【００２７】
画像データ伝送手段２７は伝送要求受付／検索手段２６によって検索決定した出力端末１４に、配信情報と衛星画像データを伝送する。制御手段２８は配信要求入力／受付手段２１、ＤＢ検索手段２３、撮像要求手段２４、注文識別ＩＤ−画像データ関連付け管理手段２５、伝送要求受付／検索手段２６、画像データ伝送手段２７の各機能を制御する。
【００２８】
図３は高分解能衛星画像データの出力端末１４の一例を示す機能ブロック図である。
【００２９】
図３において、情報表示手段３１はユーザが衛星画像データを受領するまでの操作をナビゲートする情報を表示する。注文識別ＩＤ入力受付手段３２はユーザが入力する注文識別ＩＤを受付け、その注文識別ＩＤと注文識別ＩＤを入力された当該出力端末１４を特定するための端末識別ＩＤから伝送要求情報を作成する。
【００３０】
このように画像データ伝送要求を送信する端末識別ＩＤを伝送情報に含める事で、配信センタ１２とアクセスできる出力端末１４が日本全国の任意の場所に存在しても、また、ユーザは日本全国の任意の場所から、要求する衛星画像データを取得することができる。
【００３１】
伝送要求送信／データ受信手段３３は注文識別ＩＤ入力受付手段３２で作成した伝送要求情報を配信センタ１２に送信し、また、配信センタ１２からの配信情報と衛星画像データを受信する。料金投入確認手段３４は伝送要求送信／データ受信手段３３で受信した配信情報に含まれる課金情報から、料金投入状態を監視する。
【００３２】
出力媒体確認手段３５は伝送要求送信／データ受信手段３３で受信した配信情報に含まれるユーザ指定の出力媒体設定状態を監視する。画像データ出力手段３６は料金投入確認手段３４、出力媒体確認手段３５の監視結果が伝送要求送信／データ受信手段３３で受信した配信情報と合致した場合、その配信情報に従い衛星画像データをプリンタまたは電子媒体３７に出力する。
【００３３】
制御手段３８は情報表示手段３１、注文識別ＩＤ入力受付手段３２、伝送要求送信／データ受信手段３３、料金投入確認手段３４、出力媒体確認手段３５、画像データ出力手段３６の各機能を制御する。
【００３４】
次に動作を説明する。
図４は本発明の一使用形態を説明するための図で、利用者が旅行先で記念写真（ｂ）を撮影し、その記念写真（ｂ）に写っている背景の山々と利用者の居場所を含んだ高分解能衛星画像（ａ）の入手するため最寄りの衛星画像データ出力端末で衛星画像データを取得する例である。
【００３５】
図５は、汎用の利用者端末１１が有するＷｅｂブラウザ２２に表示する配信要求入力画面の一例である。配信要求入力画面５１には、入力項目として位置情報５２、画像範囲５３、画像種別５４、画像枚数５５、画像出力媒体５６の項目を有している。
【００３６】
ユーザは自分の位置を示す位置情報５２と、自分の位置を中心とした画像範囲（画像領域）５３により、配信センタ１２が衛星画像データベース１３から要求に合致する衛星画像データを検索するための基本情報を入力する。位置情報５２は、緯度経度を直接入力したり汎用の携帯型情報端末、車載型情報端末などの利用者端末が持っている位置情報取得機能から自動的に入力することもできる。
【００３７】
画像種別５４による白黒／カラー情報、画像枚数５５による希望枚数情報、画像出力媒体５６による出力媒体情報の各配信情報を入力する。画像出力媒体５６は、ユーザが所有する汎用の家庭用情報端末、携帯型情報端末、車載型情報端末の何れかで利用可能な周辺機器に合わせた電子媒体に格納できる電子データ形式か、写真印刷形式かをユーザの利用形態に合わせて要求できるようになっている。なお、ＭＯは光磁気ディスク、ＣＤはコンパクトディスクである。
【００３８】
図６は、図５の配信要求入力画面５１からの要求を配信センタ１２が受付けてから、衛星画像データベース１３の検索、注文識別ＩＤ、配信情報の作成および、衛星画像データベース１３検索結果の衛星画像データとの関連付け管理までの処理を示すフローチャートである。
【００３９】
図６において、配信センタ１２は配信要求入力画面５１からの配信要求入力を受付け（ステップＳ６０１）、入力項目である位置情報５２、画像範囲５３、画像種別５４、画像枚数５５、画像出力媒体５６の各情報（注文要求）を確認（ステップＳ６０２）する。入力項目に漏れが無かった場合、ユーザのＷｅｂブラウザ２２に対して正常に受付けたことを示す要求確認情報を送信（ステップＳ６０３）する。
【００４０】
次に配信要求入力項目から衛星画像データベース１３を検索するための画像データ検索キーを作成（ステップＳ６０４）し、衛星画像データベース１３内を画像データ検索キーによりＤＢ検索（ステップＳ６０５）を実行する。
【００４１】
ステップＳ６０５のＤＢ検索によって衛星画像データベース１３内のＤＢ登録有無確認（ステップＳ６０６）処理によりＤＢ未登録だった場合、衛星画像受信センタ１５に対して新規撮像要求（ステップＳ６０７）を発行する。
【００４２】
一方、ＤＢ登録有無確認（ステップＳ６０６）処理によりＤＢ登録済みだった場合は、配信要求情報とＤＢ検索結果から配信情報を作成（ステップＳ６０８）し、この配信情報から注文識別ＩＤを作成（ステップＳ６０９）する。
【００４３】
次に要求受付情報（出力媒体情報、課金情報）を作成（ステップＳ６１０）し、注文識別ＩＤと要求受付け情報をユーザのＷｅｂブラウザ２２に送信（ステップＳ６１１）した後、注文識別ＩＤ、配信情報および画像データを関連付けて管理（ステップＳ６１２）する。
【００４４】
図７は、図６のステップＳ６０８で作成する配信情報とステップＳ６０９で作成する注文識別ＩＤをステップＳ６１２で関連付け管理する関連付け管理テーブル７１の一例構成を示す。
【００４５】
図７において、受付一貫No.７２は配信センタ１２が衛星画像配信要求の受付時に採番する番号である。出力媒体情報７５は配信要求入力情報の画像出力媒体５６を設定する。課金情報７４は配信要求入力情報の画像範囲５３、画像種別５４、画像枚数５５、画像出力媒体５６から判断して決定した料金を設定する。画像データ識別内部ＩＤ７３は衛星画像データベース１３内部で登録画像データに付加している識別名称を設定する。注文識別ＩＤ７６は受付け一貫No.７２を用いることで、注文識別ＩＤ７６と関連付け管理テーブル７１の関係を容易にできる。
【００４６】
図８はユーザが配信センタ１２から受信する注文識別ＩＤを出力端末１４に入力し、高分解能衛星画像データ配信センタ１２から衛星画像データおよび、配信情報（出力媒体データ、課金データ）が伝送されるまでの処理を示すフローチャートである。
【００４７】
図８において、出力端末１４は、情報表示手段３１に従いユーザが入力した注文識別ＩＤを受付け（ステップＳ８０１）、配信センタ１２からの衛星画像データ伝送先である出力端末１４を特定させるための情報として出力端末１４が持っている端末識別ＩＤと、入力された注文識別ＩＤとから伝送要求情報を作成（ステップＳ８０２）する。このように注文識別ＩＤを入力された端末識別ＩＤを伝送情報（画像データ伝送要求）に含める事で、配信センタ１２とアクセスできる出力端末１４が日本全国の任意の場所に存在しても、また、ユーザは日本全国の任意の場所から、要求する衛星画像データを取得することができる。
【００４８】
次に、ステップＳ８０３において配信センタ１２へ画像データ伝送要求を送信する。配信センタ１２からの伝送要求受付信号を受信（ステップＳ８０４）したら、情報表示手段３１に注文問合せ中メッセージを表示（ステップＳ８０５）し、衛星画像データ、出力媒体データ、課金データを受信（ステップＳ８０６）する。
【００４９】
図９は配信センタ１２が出力端末１４から受信する伝送要求を受付けてから出力端末１４を特定し、注文識別ＩＤに合致する衛星画像データおよび、配信情報（出力媒体データ、課金データ）を伝送するまでの処理を示すフローチャートである。
【００５０】
図９において、配信センタ１２は出力端末１４からの画像データ伝送要求を受付け（ステップＳ９０１）、伝送要求情報から画像データ伝送先の出力端末１４を特定するために必要な出力端末識別ＩＤを取得（ステップＳ９０２）する。このように伝送情報に含まれた出力端末識別ＩＤを取得する事で、配信センタ１２とアクセスできる高分解能衛星画像データ出力端末１４が日本全国の任意の場所に存在しても、要求された衛星画像データを伝送することができる。
【００５１】
画像データ伝送先の出力端末１４を特定したら、伝送要求を正常に受信したことを示す受付信号を送信（ステップＳ９０３）し、伝送要求にある注文識別ＩＤを関連付け管理テーブル７１から検索（ステップＳ９０４）する。注文識別ＩＤに合致する衛星画像データ、出力媒体データ、課金データを取得（ステップＳ９０５）し、特定した出力端末１４にデータを伝送（ステップＳ９０６）する。
【００５２】
図１０は、図９のステップＳ９０４で注文識別ＩＤにより関連付け管理テーブル７１を検索することで、合致する衛星画像データを取得する仕組みを示す。
【００５３】
注文識別ＩＤ７６は受付け一貫No.７２を流用していることは図７で説明している。注文識別ＩＤ７６に一致する受付一貫No.７２を検索し、一致する受付一貫No.７２の行に存在する画像データ識別内部ＩＤ７３を取得することで、注文識別ＩＤ７６に合致する衛星画像データを容易に取得することができる。
【００５４】
図１１は、ユーザが高分解能衛星画像データ出力端末１４に料金を投入し、ユーザが予め指定していた衛星画像データ取得に必要な媒体を設定して、衛星画像データを取得するまでの処理を示すフローチャートである。
【００５５】
図１１において、出力端末１４は情報表示手段３１に料金と出力媒体情報を表示（ステップＳ１１０１）し、料金投入確認（ステップＳ１１０２）を行う。料金投入が料金情報と一致しない場合、一致するまで料金投入待ち（ステップＳ１１０３）と料金投入確認（ステップＳ１１０２）を繰り返す。
【００５６】
料金投入が正常に行われた場合、情報表示手段３１に出力媒体設定情報を表示（ステップＳ１１０４）し、出力媒体設定状態を確認（ステップＳ１１０５）する。出力媒体設定が出力媒体情報と一致しない場合、一致するまで出力媒体確認（ステップＳ１１０６）と出力媒体設定状態の確認（ステップＳ１１０５）を繰り返す。出力媒体設定が正常に行われた場合、指定の出力媒体に衛星画像データを出力（ステップＳ１１０７）する。
【００５７】
図１２は、これまで説明した本発明による実施の形態の一例である、高分解能衛星画像配信サービスシステムにおいて、ユーザの操作を基準にまとめた実行フローを示す。
【００５８】
利用者１２１は、配信センタ１２の配信要求入力／受付手段２１を使用して画像データ要求１２ａを発行する。配信センタ１２では、配信要求入力／受付手段２１を介して受信した画像データ要求１２ａに合致する画像データを、ＤＢ検索手段２３により検索する。
【００５９】
ＤＢ検索手段２３による検索の結果、要求に合致する画像データが存在する場合１２ｂは、注文識別ＩＤ−画像データ関連付け管理手段２５により、注文識別ＩＤ、配信情報と検索結果の画像データを関連付け管理し、配信要求入力／受付手段２１から要求受付け情報と注文識別ＩＤ１２ｃを利用者１２１に返信する。もし、要求に合致する画像データが存在しない場合１２ｂは、撮像要求手段２４から新規撮像要求を発行し、配信要求入力／受付手段２１から要求受付け情報と注文識別ＩＤ１２ｃを利用者１２１に返信する。
【００６０】
利用者１２１が画像データを受領する場合は、画像データ出力端末１４の識別ＩＤ入力受付手段３２を使用して注文識別ＩＤ入力１２ｄを行う。画像データ出力端末１４では、識別ＩＤ入力受付手段３２を介して注文識別ＩＤを受信し、伝送要求送信／データ受信手段３３から配信センタ１２に画像データ伝送を要求する。
【００６１】
次に配信センタ１２は、伝送要求受付／検索手段２６を介して画像データ出力端末１４からの画像データ伝送要求を受信し、画像データ伝送先の出力端末１４を判断して特定し、要求に合致する画像データ、課金データ、出力媒体情報データを取得し、画像データ伝送手段２７により画像データ出力端末１４に伝送する。
【００６２】
出力端末１４は、配信センタ１２から受信したデータにより、料金投入確認手段３４が利用者１２１に料金を提示し、利用者１２１からの料金投入１２ｅを受け、出力媒体確認手段３５が利用者１２１に出力媒体設定を確認する。利用者１２１からの出力媒体設定１２ｆを受け、画像データ出力手段３６が画像データを出力する。
【００６３】
以上のようにして衛星画像を配信するのであるが、配信センタが複数の出力端末のうち任意一つの出力端末から送信されてくる注文識別ＩＤおよび端末識別ＩＤを含む画像データ伝送要求によって当該出力端末を決定し、複数の出力端末のうちの当該出力端末に衛星画像データを配信している。したがって、利用者は衛星画像配信要求時に指定した任意の場所から短時間かつ手軽に衛星画像を入手できる。
【００６４】
なお、上述の実施例において衛星画像データの配信センタ（サーバ）と出力端末の処理内容をそれぞれ別個にプログラムの処理手順としてＣＤ―ＲＯＭなどの記録媒体に格納し、記録媒体のみを販売してもよいことは勿論のことである。
【００６５】
また、上述の実施例は出力端末が複数の形態で出力できるので、利用者の要求する任意の形態で出力することができる。さらに、利用者が欲しい画像領域の衛星画像を指定して注文要求することができる。
【図面の簡単な説明】
【００６６】
【図１】本発明の一実施例を示す構成図である。
【図２】衛星画像配信センタの一例を示すブロック図である。
【図３】衛星画像出力端末の一例を示すブロック図である。
【図４】本発明の動作を説明するための図である。
【図５】利用者端末の要求入力画面の一例図である。
【図６】本発明の動作を説明するためのフロー図である。
【図７】管理テーブルの一例構成図である。
【図８】本発明の動作を説明するためのフロー図である。
【図９】本発明の動作を説明するためのフロー図である。
【図１０】管理テーブルの検索説明図である。
【図１１】本発明の動作を説明するためのフロー図である。
【図１２】本発明の動作を説明するためのフロー図である。
【符号の説明】
【００６７】
１１…利用者端末
１２…衛星画像データ配信センタ（サーバ）
１３…衛星画像データベース
１４…衛星画像データ出力端末
１５…衛星画像受信センタ
１６…専用高速ネットワーク網
【図１】
2007073055.tif 000003
【図２】
2007073055.tif 000004
【図３】
2007073055.tif 000005
【図４】
2007073055.tif 000006
【図５】
2007073055.tif 000007
【図６】
2007073055.tif 000008
【図７】
2007073055.tif 000009
【図８】
2007073055.tif 000010
【図９】
2007073055.tif 000011
【図１０】
2007073055.tif 000012
【図１１】
2007073055.tif 000013
【図１２】
2007073055.tif 000014